(57)【要約】【課題】遊技状況の誤認を抑制する。【解決手段】遊技機は、遊技の進行を制御する主制御基板に接続され、主制御基板から送信される信号に基づいて動作する電子部品が配置された表示基板を備え、表示基板は、光源である電子部品が、遊技者に正対する一面に配置され、光源以外の電子部品が、一面とは反対側の他面に配置される。これにより、表示基板の一面に配置された光源から発せられる光が、他の電子部品によって遮られてしまうことを防止することができる。【選択図】図５
2020049148.tif 000002
【特許請求の範囲】
【請求項１】
遊技の進行を制御する主制御基板に接続され、前記主制御基板から送信される信号に基づいて動作する電子部品が配置された表示基板を備え、
前記表示基板は、
光源である電子部品が、遊技者に正対する一面に配置され、
前記光源以外の電子部品が、前記一面とは反対側の他面に配置される遊技機。
【請求項２】
前記表示基板は、
全ての前記電子部品の識別情報が前記他面に示される請求項１に記載の遊技機。
【請求項３】
前記表示基板は、
Ｍ個（Ｍは３以上の整数）の端子を有する第１コネクタと、前記第１コネクタの２個以上、Ｍ個未満の端子に接続され、かつ、所定の信号が通る第１の配線パターンとを備え、
Ｎ個（Ｎは３以上の整数）の端子を有する第２コネクタと、前記第２コネクタの２個以上、Ｎ個未満の端子に接続され、かつ、前記所定の信号が通る第２の配線パターンとを備える電子回路基板と、
前記第１コネクタの前記第１の配線パターンが接続される２個以上の端子のそれぞれに一端が接続されるとともに、前記第２コネクタの前記第２の配線パターンが接続される２個以上の端子のそれぞれに他端が接続される２本以上の配線と、を備え、
前記表示基板または前記電子回路基板の一方の基板上で分岐した前記所定の信号が、前記２本以上の配線それぞれを通り、他方の基板上で合流するように構成される請求項１または２に記載の遊技機。
【発明の詳細な説明】
【技術分野】
【０００１】
本発明は、遊技機に関する。
【背景技術】
【０００２】
スロットマシンやパチンコ遊技機等の遊技機には、遊技の進行を制御する主制御基板から送信される信号に基づいて、点灯または消灯される光源が配置された表示基板が設けられている。そして、遊技機は、表示基板に配置された光源を点灯または消灯させることにより、様々な遊技に関する情報を遊技者に報知している（例えば、特許文献１）。
【先行技術文献】
【特許文献】
【０００３】
【特許文献１】特開平１１−３１９２６７号公報
【発明の概要】
【発明が解決しようとする課題】
【０００４】
ところで、表示基板には、光源以外にもコネクタ、抵抗等の他の電子部品が配置されている。そして、表示基板において、光源と他の電子部品とを同一面に配置すると、他の電子基板によって、光源から発生された光が遮られ、遊技状況を遊技者が把握し難いおそれがある。
【０００５】
本発明は、このような課題に鑑み、遊技に関する情報の誤認を抑制することが可能な遊技機を提供することを目的としている。
【課題を解決するための手段】
【０００６】
上記課題を解決するために、本発明の遊技機は、遊技の進行を制御する主制御基板に接続され、前記主制御基板から送信される信号に基づいて動作する電子部品が配置された表示基板を備え、前記表示基板は、光源である電子部品が、遊技者に正対する一面に配置され、前記光源以外の電子部品が、前記一面とは反対側の他面に配置される。
【０００７】
前記表示基板は、全ての前記電子部品の識別情報が前記他面に示されるとよい。
【０００８】
前記表示基板は、Ｍ個（Ｍは３以上の整数）の端子を有する第１コネクタと、前記第１コネクタの２個以上、Ｍ個未満の端子に接続され、かつ、所定の信号が通る第１の配線パターンとを備え、Ｎ個（Ｎは３以上の整数）の端子を有する第２コネクタと、前記第２コネクタの２個以上、Ｎ個未満の端子に接続され、かつ、前記所定の信号が通る第２の配線パターンとを備える電子回路基板と、前記第１コネクタの前記第１の配線パターンが接続される２個以上の端子のそれぞれに一端が接続されるとともに、前記第２コネクタの前記第２の配線パターンが接続される２個以上の端子のそれぞれに他端が接続される２本以上の配線と、を備え、前記表示基板または前記電子回路基板の一方の基板上で分岐した前記所定の信号が、前記２本以上の配線それぞれを通り、他方の基板上で合流するように構成されるとよい。
【発明の効果】
【０００９】
本発明によれば、遊技に関する情報の誤認を抑制することが可能となる。
【図面の簡単な説明】
【００１０】
【図１】スロットマシンの概略的な機械的構成を説明するための外観図である。
【図２】スロットマシンの概略的な機械的構成を説明するための前面扉を開いた状態での外観図である。
【図３】表示装置の斜視図である。
【図４】メイン表示左基板およびメイン表示右基板と、下部基板との接続状態を示す回路図である。
【図５】メイン表示右基板の構成を説明するための図である。
【図６】メイン表示右基板の回路図である。
【図７】メイン表示右基板の配線を説明するための図である。
【図８】下部基板の回路図である。
【００１１】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１２】
（スロットマシン１００の機械的構成）
図１および図２の外観図に示すように、遊技機としてのスロットマシン１００は、前面が開口した筐体１０２と、筐体１０２の前面一端に回動可能に上下に並んで配置される前面上扉１０４および前面下扉１０６とが設けられている。前面上扉１０４の下部略中央には、ガラス板や透明樹脂板等で構成された無色透明の図柄表示窓１０８が設けられており、筐体１０２内の図柄表示窓１０８に対応する位置には、３つのリール１１０（左リール１１０ａ、中リール１１０ｂ、右リール１１０ｃ）が、それぞれ独立して回動可能に設けられている。左リール１１０ａ、中リール１１０ｂ、右リール１１０ｃには、例えば２０に等分された各領域に複数種類の図柄がそれぞれ配列されており、遊技者は、図柄表示窓１０８を通じて、上段、中段、下段に位置する、左リール１１０ａ、中リール１１０ｂ、右リール１１０ｃそれぞれの３つの連続する合計９個の図柄を視認することができる。
【００１３】
前面下扉１０６の上部には操作部設置台１１２が形成され、操作部設置台１１２には、メダル投入部１１４、ベットスイッチ１１６、スタートスイッチ１１８、ストップスイッチ１２０、演出スイッチ１２２等が設けられている。メダル投入部１１４は、メダル投入口１１４ａを通じて遊技媒体としてのメダルの投入を受け付ける。ベットスイッチ１１６は、スロットマシン１００の内部に電気的に貯留（以下、単にクレジットという）されているメダルのうち、１遊技で必要とされる規定数のメダルを投入（ベット）する。
【００１４】
スタートスイッチ１１８は、例えば傾倒操作を検出可能なレバーで構成され、遊技者による遊技の開始操作を検出する。ストップスイッチ１２０（ストップスイッチ１２０ａ、ストップスイッチ１２０ｂ、ストップスイッチ１２０ｃ）は、左リール１１０ａ、中リール１１０ｂ、右リール１１０ｃそれぞれに対応して設けられており、遊技者の停止操作を検出する。なお、ストップスイッチ１２０の停止操作が可能な状態で、遊技者が、ストップスイッチ１２０ａ、ストップスイッチ１２０ｂ、ストップスイッチ１２０ｃのいずれかを最初に停止操作することを第１停止といい、第１停止の後、停止操作されていない２つのストップスイッチ１２０のいずれかを停止操作することを第２停止といい、第２停止の後、最後に残ったストップスイッチ１２０を停止操作することを第３停止という。演出スイッチ１２２は、例えば、押圧スイッチと、その周囲に回転自在に配されたジョグダイヤルスイッチとから構成され、遊技者の押圧操作や回転操作を検出する。
【００１５】
前面上扉１０４の上部略中央には、演出に伴う様々な画像を表示する画像表示部１２４が設けられている。また、前面上扉１０４の上部や左右には、例えば高輝度の発光ダイオード（ＬＥＤ）によって構成される演出用ランプ１２６が設けられる。また、前面上扉１０４の裏面における画像表示部１２４の左右位置や前面下扉１０６の裏面における左右位置には、効果音や楽音等による聴覚的な演出を行うスピーカ１２８が設けられている。
【００１６】
図柄表示窓１０８と操作部設置台１１２との間には、様々な遊技に関する情報を光源（ＬＥＤ）により遊技者に報知する表示装置２００が設けられている。なお、表示装置２００について、詳しくは後述する。
【００１７】
筐体１０２内におけるリール１１０の下方には、メダル排出口１４０ａからメダルを払い出すためのメダル払出装置（メダルホッパー）１４２が設けられている。また、前面下扉１０６の前面下部には、メダル排出口１４０ａから払い出されたメダルを貯留するための受け皿部１４０が設けられている。また、筐体１０２内には、電源スイッチ１４４が設けられている。電源スイッチ１４４は、スロットマシン１００を管理する管理者が操作し、電源の切断状態と電源の投入状態の２つの状態を切り換えるために用いられる。
【００１８】
スロットマシン１００では、遊技が開始可能となり、規定数のメダルがベットされると、有効ラインＡが有効化するとともに、スタートスイッチ１１８に対する操作が有効となる。ここで、ベットは、ベットスイッチ１１６の操作を通じてクレジットされているメダルを投入する場合と、メダル投入部１１４を通じてメダルを投入する場合と、詳しくは後述するリプレイ役が有効ライン上に表示されたことに基づいてメダルを自動投入する場合のいずれも含む。なお、有効ラインは、当選役の入賞を判定するためのラインであり、１本または複数本設けられている。
【００１９】
そして、遊技者によりスタートスイッチ１１８が操作されると、遊技が開始され、左リール１１０ａ、中リール１１０ｂ、右リール１１０ｃが回転されるとともに、当選種別抽選等が実行される。その後、ストップスイッチ１２０ａ、１２０ｂ、１２０ｃの操作に応じて、対応する左リール１１０ａ、中リール１１０ｂ、右リール１１０ｃをそれぞれ停止させる。そして、当選種別抽選の抽選結果および有効ラインＡに表示された図柄の組み合わせによって、メダルの払い出しを受け得る当選役が入賞した場合にはメダルの払い出しが実行され、メダルの払い出しを受け得る当選種別に不当選であった場合または当選したが入賞しなかった場合には左リール１１０ａ、中リール１１０ｂ、右リール１１０ｃが全て停止したことをもって、遊技が終了する。
【００２０】
なお、本実施形態において、上記１遊技は、メダル投入部１１４を通じたメダルの投入、ベットスイッチ１１６の操作を通じたクレジットされているメダルの投入、または、リプレイ役が有効ラインＡ上に表示されたことに基づくメダルの自動投入のいずれかが行われてから、遊技者によるスタートスイッチ１１８の操作に応じて、左リール１１０ａ、中リール１１０ｂ、右リール１１０ｃが回転制御されるとともに当選種別抽選が実行され、当選種別抽選の抽選結果および遊技者による複数のストップスイッチ１２０ａ、１２０ｂ、１２０ｃの操作に応じて、操作されたストップスイッチ１２０ａ、１２０ｂ、１２０ｃに対応する左リール１１０ａ、中リール１１０ｂ、右リール１１０ｃがそれぞれ停止制御され、メダルの払い出しを受け得る当選役が入賞した場合、そのメダルの払い出しが実行されるまでの遊技をいう。また、メダルの払い出しを受け得る当選種別に不当選であった場合または当選したが入賞しなかった場合、左リール１１０ａ、中リール１１０ｂ、右リール１１０ｃが全て停止したことをもって１遊技が終了する。ただし、１遊技の開始を、上記のメダルの投入、または、リプレイ役の当選の代わりに、遊技者によるスタートスイッチ１１８の操作と読み替えてもよい。また、かかる１遊技が繰り返される数を遊技数とする。
【００２１】
図３は、表示装置２００の斜視図である。図３に示すように、表示装置２００は、メイン表示左基板（表示基板）２１０、メイン表示右基板２２０、リフレクタ２３０およびサブ表示基板２４０を含んで構成されている。サブ表示基板２４０は、後述するサブ制御基板によって制御され、演出に係る数字等を表示する。
【００２２】
メイン表示左基板２１０は、光源として、２つの７セグメントＬＥＤ２１２ａ、２１２ｂ、３つのＬＥＤ２１４ａ、２１４ｂ、２１４ｃが設けられている。７セグメントＬＥＤ２１２ａ、２１２ｂは、メイン払出表示器として機能し、メダルの払出枚数が表示される。ＬＥＤ２１４ａ、２１４ｂ、２１４ｃは、ベット枚数表示器として機能し、ベットされているメダルの枚数に応じた数が点灯する。また、メイン表示左基板２１０には、第３コネクタ２１６に接続されたハーネス２５０（図４参照）を介して７セグメントＬＥＤ２１２ａ、２１２ｂおよびＬＥＤ２１４ａ〜２１４ｃを点消灯させるための信号が送られる。なお、２つの７セグメントＬＥＤ２１２ａ、２１２ｂ、３つのＬＥＤ２１４ａ〜２１４ｃをまとめて、メイン表示左ＬＥＤと称する場合がある。
【００２３】
メイン表示右基板２２０は、２つの７セグメントＬＥＤ２２２ａ、２２２ｂ、３つのＬＥＤ２２４ａ、２２４ｂ、２２４ｃが設けられている。７セグメントＬＥＤ２２２ａ、２２２ｂは、メインクレジット表示器として機能し、クレジットされているメダルの枚数（クレジット枚数）が表示される。ＬＥＤ２２４ａは、遊技開始可能表示器として機能し、スタートスイッチ１１８が有効な状態となっているか否か（スタートスイッチ１１８の操作により遊技が開始可能な状態となっているか）を報知する。ＬＥＤ２２４ｂは、メダル投入可能表示器として機能し、メダルが投入可能であるか否かを報知する。ＬＥＤ２２４ｃは、再遊技表示器として機能し、リプレイ役の入賞により再度の遊技が可能な状態となっているか否かを報知する。また、メイン表示右基板２２０には、第１コネクタ２２６に接続されたハーネス２５０（図４参照）を介して７セグメントＬＥＤ２２２ａ、２２２ｂおよびＬＥＤ２２４ａ〜２２４ｃを点消灯させるための信号が送られるようになっている。なお、２つの７セグメントＬＥＤ２２２ａ、２２２ｂ、３つのＬＥＤ２２４ａ〜２２４ｃをまとめて、メイン表示右ＬＥＤと称する場合がある。
【００２４】
リフレクタ２３０は、メイン表示左基板２１０、メイン表示右基板２２０およびサブ表示基板２４０を前面側から覆うカバー部材である。また、リフレクタ２３０は、メイン表示左基板２１０の７セグメントＬＥＤ２１２ａ、２１２ｂ、ＬＥＤ２１４ａ〜２１４ｂ、メイン表示右基板２２０の７セグメントＬＥＤ２２２ａ、２２２ｂ、ＬＥＤ２２４ａ〜２２４ｂを露出させる複数の開口２３２を備えている。そして、これら開口２３２から露出した７セグメントＬＥＤ２１２ａ、２１２ｂ、２２２ａ、２２２ｂや、ＬＥＤ２１４ａ〜２１４ｃ、２２４ａ〜２２４ｃ等が点灯することにより発せられた光が、遊技者に届くようになっている。
【００２５】
図４は、メイン表示左基板２１０およびメイン表示右基板２２０と、下部基板（電子回路基板）２６０との接続状態を示す回路図である。なお、図４において、各コネクタ部分に記されている数字は、各コネクタのピン番号を示すものである。
【００２６】
図４に示すように、メイン表示左基板２１０およびメイン表示右基板２２０は、ハーネス２５０によって下部基板２６０と接続されている。下部基板２６０は、前面上扉１０４の裏側下部に設けられており、図示しないメイン制御基板と接続されている。なお、メイン制御基板（主制御基板）と下部基板２６０とは、いくつかの基板を介して接続されていてもよい。
【００２７】
ここで、メイン制御基板とは、遊技機の基本動作を司る基板をいい、メイン制御基板では、ベットスイッチ１１６、スタートスイッチ１１８、ストップスイッチ１２０等の入力手段からの入力信号を受けて、遊技を実行するための各種の演算を行い、演算結果に基づいてリール１１０やホッパーユニット等の遊技の進行を制御する。一方、メイン制御基板から送られてくる信号を受けて、演出を実行するための各種の演算を行い、演算結果に基づいて画像表示部１２４およびスピーカ１２８等の演出用の装置の制御を行う基板をサブ制御基板という。
【００２８】
メイン表示左基板２１０およびメイン表示右基板２２０は、下部基板２６０を介して送られるメイン制御基板からの信号によって動作し、７セグメントＬＥＤ２１２ａ、２１２ｂ、２２２ａ，２２２ｂや、ＬＥＤ２１４ａ〜２１４ｃ、２２４ａ〜２２４ｃが点灯あるいは消灯するようになっている。すなわち、下部基板２６０は、メイン制御基板とメイン表示左基板２１０またはメイン表示右基板２２０との接続を中継する中継基板となっている。
【００２９】
メイン表示左基板２１０の第３コネクタ２１６は、１２個の端子（１ピン〜１２ピン、２ピン×６列）を備えている。また、メイン表示右基板２２０の第１コネクタ２２６は、１２個の端子（１ピン〜１２ピン、２ピン×６列）を備えている。また、下部基板２６０は、第２コネクタ２６２を備えている。そして、第２コネクタ２６２は、２４個の端子（１ピン〜２４ピン、２ピン×１２列）（Ｎ個（Ｎは３以上の整数））を備えている。
【００３０】
メイン表示左基板２１０およびメイン表示右基板２２０と下部基板２６０とは、１本のハーネス２５０によって接続されている。また、ハーネス２５０は、２４本の配線Ｈ１〜Ｈ２４を備えている。また、ハーネス２５０は、３つのコネクタ（ハーネス側第１、第２、第３コネクタ（図示せず））を有している。そして、ハーネス２５０は、その一端において、２４本の配線Ｈ１〜Ｈ２４が当該ハーネス側第２コネクタに接続されている。また、ハーネス２５０は、その他端において、１２本の配線Ｈ１〜Ｈ１２が当該ハーネス側第３コネクタに接続されているとともに、他の１２本の配線Ｈ１３〜Ｈ２４が当該ハーネス側第１コネクタに接続されている。そして、当該ハーネス側第１コネクタがメイン表示右基板２２０の第１コネクタ２２６に接続され、当該ハーネス側第２コネクタが下部基板２６０の第２コネクタ２６２に接続され、当該ハーネス側第３コネクタがメイン表示左基板２１０の第３コネクタ２１６に接続されることで、メイン表示左基板２１０およびメイン表示右基板２２０と下部基板２６０とが、２４本の配線Ｈ１〜Ｈ２４（空中配線）によって接続されている。
【００３１】
また、第１コネクタ２２６およびハーネス側第１コネクタは、見た目が黒色となっている（端子を除く、合成樹脂により形成された部分が黒色となっている）。また、第３コネクタ２１６およびハーネス側第３コネクタは、見た目が白色となっている（端子を除く、合成樹脂により形成された部分が白色となっている）。すなわち、メイン表示右基板２２０とメイン表示左基板２１０とは、図３に示すように、ほぼ左右対称の類似する形状となっているが、メイン表示右基板２２０の第１コネクタ２２６と、メイン表示左基板２１０の第３コネクタ２１６とが異なる色となっていることにより、２股となったハーネス２５０の接続先をコネクタの色によって判別することが可能となっている。また、２股となったハーネス２５０において、この２股の一方の先端のハーネス側第１コネクタの色が第１コネクタ２２６の色に揃えられているとともに、２股の他方の先端のハーネス側第３コネクタの色が第３コネクタ２１６の色に揃えられていることにより、ハーネス２５０の２股となった部分のそれぞれを、メイン表示右基板２２０とメイン表示左基板２１０とのどちらに接続すればよいのか一目で判別することが可能となっている。すなわち、２股のハーネス２５０を使うことによって、下部基板２６０とメイン表示左基板２１０とを繋ぐハーネスと、下部基板２６０とメイン表示右基板２２０とを繋ぐハーネスとをひとまとめにすることで、ハーネスの取り回しが簡便にされているとともに、このように色分けすることでハーネス２５０の誤配線が防止されている。
【００３２】
また、ハーネス２５０の２４本の配線Ｈ１〜Ｈ２４はそれぞれ、一端が下部基板２６０の第２コネクタ２６２の１つのピンに接続されているとともに、他端がメイン表示左基板２１０の第３コネクタ２１６またはメイン表示右基板２２０の第１コネクタ２２６の１つのピンに接続されている。すなわち、第３コネクタ２１６または第１コネクタ２２６の各ピンと、第２コネクタ２６２の各ピンとは、対応するピン同士が１対１の関係になるように１本の配線Ｈ１〜Ｈ２４によって接続されている。
【００３３】
また、ハーネス２５０の２４本の配線Ｈ１〜Ｈ２４はすべて、信号が通過する信号ラインとなっている。なお、ハーネス２５０は、電源やグラウンド用の配線（電源ライン、グラウンドライン）を備えていてもよい。
【００３４】
図５は、メイン表示右基板２２０の構成を説明するための図である。図５（ａ）は、メイン表示右基板２２０を表面側から見た正面図を示し、図５（ｂ）は、メイン表示右基板２２０を裏面側から見た背面図を示す。図６は、メイン表示右基板２２０の回路図である。図７は、メイン表示右基板２２０の配線を説明するための図である。図７（ａ）は、メイン表示右基板２２０を表面側から見た正面図を示し、図７（ｂ）は、メイン表示右基板２２０を裏面側から見た背面図を示す。なお、図５〜図７において、各コネクタ部分または各ＬＥＤ部分に記されている数字は、各コネクタまたは各ＬＥＤのピン番号を示すものである。また、図７（ｂ）において、７セグメントＬＥＤ２２２ａ、２２２ｂの端子は、実際には７セグメントＬＥＤ２２２ａ、２２２ｂの表示部（前面）に隠され見えないが、説明のために表している。また、図７において、配線パターンのメイン表示右ＬＥＤに隠され見えない部分ならびにメイン表示右ＬＥＤおよび第１コネクタ２２６の基板に隠され見えない部分を、破線で表している。
【００３５】
図５に示すように、メイン表示右基板２２０の両面に電子部品が配置されている。具体的には、メイン表示右基板２２０の表面（他面）には、第１コネクタ２２６が配置されている。ここで、表面とは、前面上扉１０４における筐体１０２内部側の面である。つまり、表面とは、前面上扉１０４を開放した際に、前面上扉１０４の背面側から視認可能な面である。
【００３６】
また、メイン表示右基板２２０の裏面（一面）には、７セグメントＬＥＤ２２２ａ、２２２ｂ、および、ＬＥＤ２２４ａ〜２２４ｃが配置されている。ここで、裏面とは、表示右基板２２０がスロットマシン１００に組み込まれたときに遊技者に正対（対向）する面である。
【００３７】
このように、メイン表示右基板２２０では、光源である７セグメントＬＥＤ２２２ａ、２２２ｂ、および、ＬＥＤ２２４ａ〜２２４ｃのみが裏面に配置され、光源以外の電子部品である第１コネクタ２２６が表面に配置されている。
【００３８】
これにより、メイン表示右基板２２０が前面上扉１０４に取り付けられた際に、遊技者には光源である７セグメントＬＥＤ２２２ａ、２２２ｂ、および、ＬＥＤ２２４ａ〜２２４ｃのみが正対（対向）し、光源以外の電子部品である第１コネクタ２２６が遊技者に視認されないようになされており、見栄えをよくすることができる。
【００３９】
また、光源以外の電子部品である第１コネクタ２２６が、光源である７セグメントＬＥＤ２２２ａ、２２２ｂ、および、ＬＥＤ２２４ａ〜２２４ｃとは異なる面（表面）に配置されることにより、７セグメントＬＥＤ２２２ａ、２２２ｂ、および、ＬＥＤ２２４ａ〜２２４ｃが発光した際の光が第１コネクタ２２６に遮られてしまうことを防止することができる。これにより、情報の誤認や、電飾効果の低下を抑制することができる。
【００４０】
また、第１コネクタ２２６を前面上扉１０４の背面側に配置することにより、ハーネス２５０の引き回しを容易にすることができる。
【００４１】
また、メイン表示右基板２２０の表面には、７セグメントＬＥＤ２２２ａ，２２２ｂ、ＬＥＤ２２４ａ〜２２４ｃおよび第１コネクタ２２６を示す識別情報（「ＬＥＤ１」〜「ＬＥＤ５」、「ＣＮ１」）が示されている。これにより、識別情報が遊技者から視認されることがないため、見栄えをよくすることができる。なお、識別情報は、文字に限らず、識別可能な情報であれば記号、符号、図柄などであってもよい。
【００４２】
図６に示すように、７セグメントＬＥＤ２２２ａ、２２２ｂは、１０個の端子（１ピン〜１０ピン）をそれぞれ備えている。また、７セグメントＬＥＤ２２２ａ、２２２ｂはそれぞれ、８個のＬＥＤを備えており、７セグメントＬＥＤ２２２ａ、２２２ｂの１ピン（セグメントｅ端子）、２ピン（セグメントｄ端子）、４ピン（セグメントｃ端子）、５ピン（Ｄ．Ｐ端子）、６ピン（セグメントｂ端子）、７ピン（セグメントａ端子）、９ピン（セグメントｆ端子）、１０ピン（セグメントｇ端子）はそれぞれ、８個のＬＥＤそれぞれのアノードに接続されている。また、当該８個のＬＥＤのカソードは、全て７セグメントＬＥＤ２２２ａ、２２２ｂの３ピン（コモン端子）および８ピン（コモン端子）に接続されている。そして、７セグメントＬＥＤ２２２ａ、２２２ｂは、上記８個のＬＥＤのうちの１ピン、２ピン、４ピン、６ピン、７ピン、９ピン、１０ピンに繋がれた７個のＬＥＤによって、数字やアルファベットを表すようになっている。また、７セグメントＬＥＤ２２２ａ、２２２ｂは、上記８個のＬＥＤのうちの５ピンに繋がれたＬＥＤによってドット（デシマルポイント（Ｄ．Ｐ））を表すようになっている。
【００４３】
第１コネクタ２２６は、１２個の端子（１ピン〜１２ピン）（Ｍ個（Ｍは３以上の整数））を備えている。そして、第１コネクタ２２６と７セグメントＬＥＤ２２２ａ、２２２ｂとＬＥＤ２２４ａ〜２２４ｃとは、配線パターンＬ１〜Ｌ１１によってメイン表示右基板２２０上で繋がれている。
【００４４】
具体的には、第１コネクタ２２６の１ピンと、７セグメントＬＥＤ２２２ａの３ピンおよび８ピンとは、第１配線パターンＬ１によって繋がれている。また、第１コネクタ２２６の２ピンと、７セグメントＬＥＤ２２２ｂの３ピンおよび８ピンとは、第２配線パターンＬ２によって繋がれている。また、第１コネクタ２２６の３ピンおよび４ピンと、ＬＥＤ２２４ａ〜２２４ｃのカソード２２４ａｂ、２２４ｂｂ、２２４ｃｂとは、第３配線パターンＬ３によって繋がれている。また、第１コネクタ２２６の５ピンと、７セグメントＬＥＤ２２２ａ、２２２ｂの７ピンとは、第４配線パターンＬ４によって繋がれている。また、第１コネクタ２２６の６ピンと、７セグメントＬＥＤ２２２ａ、２２２ｂの６ピンとは、第５配線パターンＬ５によって繋がれている。また、第１コネクタ２２６の７ピンと、７セグメントＬＥＤ２２２ａ、２２２ｂの４ピンとは、第６配線パターンＬ６によって繋がれている。また、第１コネクタ２２６の８ピンと、７セグメントＬＥＤ２２２ａ、２２２ｂの２ピンと、ＬＥＤ２２４ａのアノード２２４ａａとは、第７配線パターンＬ７によって繋がれている。また、第１コネクタ２２６の９ピンと、７セグメントＬＥＤ２２２ａ、２２２ｂの１ピンと、ＬＥＤ２２４ｂのアノード２２４ｂａとは、第８配線パターンＬ８によって繋がれている。また、第１コネクタ２２６の１０ピンと、７セグメントＬＥＤ２２２ａ、２２２ｂの９ピンと、ＬＥＤ２２４ｃのアノード２２４ｃａとは、第９配線パターンＬ９によって繋がれている。また、第１コネクタ２２６の１１ピンと、７セグメントＬＥＤ２２２ａ、２２２ｂの１０ピンとは、第１０配線パターンＬ１０によって繋がれている。また、第１コネクタ２２６の１２ピンと、７セグメントＬＥＤ２２２ａ、２２２ｂの５ピンとは、第１１配線パターンＬ１１によって繋がれている。
【００４５】
また、第１配線パターンＬ１から第１１配線パターンＬ１１までの１１本の配線パターンは、信号が通過する信号ラインとなっている。具体的には、第１〜第１１配線パターンＬ１〜Ｌ１１は、７セグメントＬＥＤ２２２ａ、２２２ｂおよびＬＥＤ２２４ａ〜２２４ｃを点灯あるいは消灯させるための制御信号が通過するラインとなっている。
【００４６】
メイン表示右基板２２０は、図７に示すように、両面基板（２層基板）となっており、表面側および裏面側に配線パターンＬ１〜Ｌ１１が形成されている。また、メイン表示右基板２２０は、表面側の配線パターンと裏面側の配線パターンとを繋ぐ９つのビアＬ４ａ、Ｌ５ａ、Ｌ６ａ、Ｌ７ａ、Ｌ８ａ、Ｌ９ａ、Ｌ９ｂ、Ｌ１０ａ、Ｌ１１ａ（ビアホール）を有している。なお、メイン表示右基板２２０は、２層以上の層を有する多層基板であってもよい。
【００４７】
第１〜第３配線パターンＬ１〜Ｌ３は、第４〜第１１配線パターンＬ４〜Ｌ１１よりも、太く（配線幅が広く（金属部分の断面積が大きく））なっている。また、第１〜第３配線パターンＬ１〜Ｌ３は、太さ（配線幅）が等しくなっている。また、第４〜第１１配線パターンＬ４〜Ｌ１１は、太さ（配線幅）が等しくなっている。すなわち、メイン表示右基板２２０は、２種類の太さの配線パターンを有している。なお、メイン表示右基板２２０は、配線パターンの太さが１種類のみでもよく、３種類以上であってもよい。
【００４８】
また、第１〜第３配線パターンＬ１〜Ｌ３は、ビアを経由せずに端子と端子とを接続している。すなわち、例えば、第５配線パターンＬ５はビアＬ５ａを経由して第１コネクタ２２６の６ピンと、７セグメントＬＥＤ２２２ａおよび７セグメントＬＥＤ２２２ｂの６ピンとを接続している。また、例えば、第８配線パターンＬ８は、ビアＬ８ａを経由して第１コネクタ２２６の９ピンと、７セグメントＬＥＤ２２２ｂの１ピンとを接続している。これに対して、例えば、第３配線パターンＬ３は、ビアを経由せずに第１コネクタ２２６の３ピンおよび４ピンと、ＬＥＤ２２４ａ、ＬＥＤ２２４ｂおよびＬＥＤ２２４ｃのカソード２２４ａｂ、２２４ｂｂ、２２４ｃｂとを接続している。また、例えば、第２配線パターンＬ２は、ビアを経由せずに第１コネクタ２２６の２ピンと７セグメントＬＥＤ２２２ｂの３ピンとを接続するとともに、ビアを経由せずに７セグメントＬＥＤ２２２ｂの３ピンと８ピンとを接続している。
【００４９】
このように、電子部品（回路素子）の端子と端子とを、ビアを経由せずに接続することで、当該端子と端子との間の配線抵抗が増加することを防ぐことができる。
【００５０】
また、第１〜第３配線パターンＬ１〜Ｌ３は、分岐せずに複数の端子に接続されている。すなわち、例えば、第３配線パターンＬ３は、図７においてＬＥＤ２２４ｃのカソード２２４ｃｂから下方に延び、分岐することなく第１コネクタ２２６の３ピンおよび４ピンに接続されている。さらには、第３配線パターンＬ３は、その一端がＬＥＤ２２４ａのカソード２２４ａｂに接続され、その他端が第１コネクタ２２６の４ピンに接続されているとともに、ＬＥＤ２２４ａのカソード２２４ａｂ（一端）から第１コネクタ２２６の４ピン（他端）に至るまで、分岐することなく一本の線となっている。同様に、第１配線パターンＬ１も、第１コネクタ２２６の１ピン（一端）から７セグメントＬＥＤ２２２ａの８ピン（他端）に至るまで、分岐することなく一本の線となっており、第２配線パターンＬ２も、第１コネクタ２２６の２ピン（一端）から７セグメントＬＥＤ２２２ｂの８ピンに至るまで一本の線となっている。そして、これら第１配線パターンＬ１、第２配線パターンＬ２または第３配線パターンＬ３に接続される複数の端子は、一本の線となったこれら配線パターンＬ１〜Ｌ３の線上に配置されている。
【００５１】
このように、分岐させずに第１〜第３配線パターンＬ１〜Ｌ３を形成することで、配線パターンを太くすることができる。すなわち、例えば、配線パターンを二本に分岐させ、この二本の配線パターンを並列に配置する場合、これらの間にある程度、間隔を設ける必要があるため、スペースが限られている場合には、これら二本の配線パターンのそれぞれは細くせざるを得ない。しかし、本構成によれば、第１〜第３配線パターンＬ１〜Ｌ３は一本の線となっているので、その一端から他端に至るまで太く配線することができる。
さらに、ＬＥＤ２２４ｃのカソード２２４ｃｂから下方に延在している第３配線パターンＬ３は、第１コネクタ２２６の３ピンに接続された後、曲がることなく第１コネクタ２２６の４ピンまで延びて当該４ピンに接続されている。
【００５２】
なお、第１〜第３配線パターンＬ１〜Ｌ３は分岐していても構わないが、できる限り分岐した先の部分が短くなっていることが好ましい。すなわち、例えば、第３配線パターンは、ＬＥＤ２２４ｃから第１コネクタ２２６に延びており、第１コネクタ２２６の複数の端子（３ピンおよび４ピン）に接続されているが、ＬＥＤ２２４ｃよりも、第１コネクタ２２６に近い位置で分岐していることが好ましい。また、このように配線パターンが、分岐して回路素子（第１コネクタ２２６等）の複数の端子に接続される場合には、当該回路素子の下（回路素子に覆い隠される位置）で配線パターンが分岐していることが好ましい。このような構成にすることで、配線パターンの分岐した先の部分を短くすることができるとともに、分岐してどの端子に接続されているかを隠すことができるので、基板上の配線を解読され不正が行われる可能性を低減することができる。
【００５３】
図８は、下部基板２６０の回路図である。なお、図８において、各コネクタ部分に記されている数字は、各コネクタのピン番号を示すものである。図８に示すように、下部基板２６０は、第２コネクタ２６２と第４コネクタ２６４と１６個の抵抗２６６とを備えている。また、第４コネクタ２６４は、１４個の端子（１ピン〜１４ピン）を備えている。そして、第２コネクタ２６２と第４コネクタ２６４と１６個の抵抗２６６とは、配線パターンによって、下部基板２６０上で繋がれている。
【００５４】
具体的には、一端が第２コネクタ２６２の１ピンに接続された配線パターンＭ１は、他端が第４コネクタ２６４の３ピンに接続されている。また、一端が第２コネクタ２６２の２ピンに接続された配線パターンＭ２は、他端が第４コネクタ２６４の１ピンに接続されている。また、一端が第２コネクタ２６２の３ピンに接続された配線パターンＭ３は、他端が第４コネクタ２６４の４ピンに接続されている。また、一端が第２コネクタ２６２の４ピンに接続された配線パターンＭ４は、他端が第４コネクタ２６４の２ピンに接続されている。また、一端が第２コネクタ２６２の５ピン、６ピンおよび８ピンに接続された配線パターンＭ５は、他端が第４コネクタ２６４の５ピンに接続されている。
【００５５】
また、第２コネクタ２６２の９ピンおよび１０ピンに接続された配線パターンと、第４コネクタ２６４の６ピンに接続された配線パターンとが、２個の抵抗２６６を介して繋がれている。また、第２コネクタ２６２の１１ピンおよび１２ピンに接続された配線パターンと、第４コネクタ２６４の７ピンに接続された配線パターンとが、２個の抵抗２６６を介して繋がれている。また、第２コネクタ２６２の１３ピンおよび１４ピンに接続された配線パターンと、第４コネクタ２６４の８ピンに接続された配線パターンとが、２個の抵抗２６６を介して繋がれている。また、第２コネクタ２６２の１５ピンおよび１６ピンに接続された配線パターンと、第４コネクタ２６４の９ピンに接続された配線パターンとが、２個の抵抗２６６を介して繋がれている。また、第２コネクタ２６２の１７ピンおよび１８ピンに接続された配線パターンと、第４コネクタ２６４の１０ピンに接続された配線パターンとが、２個の抵抗２６６を介して繋がれている。また、第２コネクタ２６２の１９ピンおよび２０ピンに接続された配線パターンと、第４コネクタ２６４の１１ピンに接続された配線パターンとが、２個の抵抗２６６を介して繋がれている。また、第２コネクタ２６２の２１ピンおよび２２ピンに接続された配線パターンと、第４コネクタ２６４の１２ピンに接続された配線パターンとが、２個の抵抗２６６を介して繋がれている。また、第４コネクタ２６４の１２ピンに接続された当該配線パターンは、第２コネクタ２６２の７ピンに接続されている。また、第２コネクタ２６２の２３ピンおよび２４ピンに接続された配線パターンと、第４コネクタ２６４の１３ピンに接続された配線パターンとが、２個の抵抗２６６を介して繋がれている。また、第４コネクタ２６４の１４ピンは、下部基板２６０のグラウンド（ＰＧＮＤ）に接続されている。
【００５６】
なお、図８に示すのは、下部基板２６０の回路の一部であり、下部基板２６０は、実際には他にもコネクタや電子回路等の回路素子および配線パターンを備えている。また、抵抗２６６は、メイン表示左基板２１０のメイン表示左ＬＥＤまたはメイン表示右基板２２０のメイン表示右ＬＥＤに流れる電流を制限するための制限抵抗となっている。
【００５７】
次に、下部基板２６０を介して行われる、メイン制御基板によるメイン表示左基板２１０またはメイン表示右基板２２０の制御について説明する。
【００５８】
図４、図６、図８には、各コネクタ近くに、各ピンを通る信号の名が記されている。ここで、信号名に「セグメント」を含む信号（以下では、セグメント信号という）は、メイン表示左基板２１０のメイン表示左ＬＥＤまたはメイン表示右基板２２０のメイン表示右ＬＥＤのアノードに対して送られる制御信号であり、信号名に「コモン」を含む信号（以下では、コモン信号という）は、メイン表示左基板２１０のメイン表示左ＬＥＤまたはメイン表示右基板２２０のメイン表示右ＬＥＤのカソードに対して送られる制御信号である。メイン制御基板は、セグメント信号またはコモン信号として、０（Ｌｏｗ）または１（Ｈｉｇｈ）のデジタル信号を送り、メイン表示左ＬＥＤおよびメイン表示右ＬＥＤを点灯または消灯する。そして、アノード側がＨｉｇｈとなり、カソード側がＬｏｗとなったＬＥＤが点灯するようになっている。
【００５９】
換言すると、セグメント信号が通過するピンおよび配線は、メイン表示左基板２１０のメイン表示左ＬＥＤまたはメイン表示右基板２２０のメイン表示右ＬＥＤに向けて電流が流れるようになっており、コモン信号が通過するピンおよび配線は、メイン表示左基板２１０のメイン表示左ＬＥＤまたはメイン表示右基板２２０のメイン表示右ＬＥＤから電流が流れるようになっている。
【００６０】
なお、メイン表示左ＬＥＤおよびメイン表示右ＬＥＤにおいては、カソード側がアノード側よりも電圧が高くなることがないように（逆バイアスとならないように）、メイン制御基板から制御信号が送られる。また、メイン表示左ＬＥＤおよびメイン表示右ＬＥＤは、ダイナミック点灯方式により制御される。
【００６１】
また、コモン信号とは、複数のＬＥＤのカソードに対して共通して送られる信号となっている。例えば、メイン表示右基板２２０において、７セグメントＬＥＤ２２２ａの備える８個のＬＥＤのカソードには、第１コネクタ２２６の１ピンおよび当該ピンに接続された配線パターンＬ１を介して、ＬＥＤコモン信号Ｂｉｔ０という信号が送られるようになっている。また、メイン表示右基板２２０において、７セグメントＬＥＤ２２２ｂの備える８個のＬＥＤのカソードには、第１コネクタ２２６の２ピンおよび当該ピンに接続された配線パターンＬ２を介して、ＬＥＤコモン信号Ｂｉｔ１という信号が送られるようになっている。また、メイン表示右基板２２０において、３つのＬＥＤ２２４ａ〜２２４ｃには、第１コネクタ２２６の３ピンおよび４ピンならびに当該ピンに接続された配線パターンＬ３を介して、ＬＥＤコモン信号Ｂｉｔ４という信号が送られるようになっている。
【００６２】
一方、セグメント信号とは、ＬＥＤのアノードに対して送られる信号となっている。例えば、メイン表示右基板２２０において、７セグメントＬＥＤ２２２ａの備える８個のＬＥＤのうちの１個のＬＥＤのアノードと、７セグメントＬＥＤ２２２ｂの備える８個のＬＥＤのうちの１個のＬＥＤのアノードとには、第１コネクタ２２６の５ピンおよび当該ピンに接続された配線パターンＬ４を介して、ＬＥＤセグメントＡ１信号という信号が送られるようになっている。また、例えば、メイン表示右基板２２０において、７セグメントＬＥＤ２２２ａの備える８個のＬＥＤのうちの１個のＬＥＤのアノードと、７セグメントＬＥＤ２２２ｂの備える８個のＬＥＤのうちの１個のＬＥＤのアノードと、ＬＥＤ２２４ａのアノードとには、第１コネクタ２２６の８ピンおよび当該ピンに接続された配線パターンＬ７を介して、ＬＥＤセグメントＤ１信号という信号が送られるようになっている。
【００６３】
なお、本実施形態の遊技機においては、セグメント信号は、複数のＬＥＤに共通して送られるようになっているが、１つのＬＥＤに対して送られるものであってもよい。すなわち、コモン信号とは、複数のＬＥＤ（複数の回路素子）に対して共通して送られる信号であり、セグメント信号とは、いずれかのＬＥＤ（回路素子）に対して送られコモン信号と対となってＬＥＤを点灯あるいは消灯させる信号（回路素子を動作させる信号）である。したがって、一般に、セグメント信号が流れるピンや配線（例えば、第１コネクタ２２６の５ピン〜１２ピンおよび第４〜第１１配線パターンＬ４〜Ｌ１１）よりも、コモン信号が流れるピンや配線（例えば、第１コネクタ２２６の１ピン〜４ピンおよび第１〜第３配線パターンＬ１〜Ｌ３）のほうが流れる電流が多くなっている。
【００６４】
なお、このように本実施の形態の遊技機においては、複数のＬＥＤのカソード側がコモン（共通）となっているが、アノード側がコモンとなっていてもよい。この場合には、アノード側にコモン信号が送られ、カソード側にセグメント信号が送られることとなる。
【００６５】
以上のように、メイン表示右基板２２０においては、図６に示すように、配線パターンＬ３を除く１０本の配線パターンＬ１、Ｌ２、Ｌ４、Ｌ５、Ｌ６、Ｌ７、Ｌ８、Ｌ９、Ｌ１０、Ｌ１１はそれぞれ、第１コネクタ２２６の異なるピン１つに接続される。また、配線パターンＬ３は、第１コネクタ２２６の３ピンと４ピンとの２つのピンに接続される。また、図４に示すように、メイン表示右基板２２０の第１コネクタ２２６の３ピンは、下部基板２６０の第２コネクタ２６２の６ピンと１本の配線Ｈ１５によって接続される。また、メイン表示右基板２２０の第１コネクタ２２６の４ピンは、下部基板２６０の第２コネクタ２６２の８ピンと１本の配線Ｈ１６によって接続される。また、図８に示すように、下部基板２６０においては、第２コネクタ２６２の６ピンと８ピンとは、配線パターンＭ５に接続される。
【００６６】
すなわち、メイン表示右基板２２０において、３つのＬＥＤ２２４ａ〜２２４ｃから流れ出した電流は、１つの配線パターンＬ３を通って、第１コネクタ２２６の複数（２つ）のピンに流れ込む。そして、当該電流は、複数（２本）の配線Ｈ１５、Ｈ１６を通って、下部基板２６０の第２コネクタ２６２の複数（２つ）のピンに流れ込む。そして、当該電流は、第２コネクタ２６２の複数（２つ）のピンから１つの配線パターンＭ５に流れ出す。換言すると、配線パターンＬ３を通る電流が、メイン表示右基板２２０上で分岐して複数の配線Ｈ１５、Ｈ１６を流れ、下部基板２６０上で合流するようになっている。さらに換言すると、下部基板２６０上で分岐した信号（ＬＥＤコモン信号Ｂｉｔ４）が、複数の配線Ｈ１５、Ｈ１６を通り、メイン表示右基板２２０上で合流するようになっている。
【００６７】
このような構成によれば、メイン表示右基板２２０（第１の電子回路基板）と下部基板２６０（第２の電子回路基板）との両方において、空き端子を無くすことができるとともに、メイン表示右基板２２０と下部基板２６０との接続を低抵抗で行うことができる。すなわち、メイン表示右基板２２０と下部基板２６０との信号のやり取りのみを考えると、例えば、配線パターンＬ３（第１の配線パターン）が第１コネクタ２２６（第１のコネクタ）の３ピンにしか接続されていなかったり、第１コネクタ２２６の４ピンと第２コネクタ２６２（第２ののコネクタ）の８ピンとが接続されていなかったり（配線Ｈ１６が存在しなかったり）、配線パターンＭ５（第２の配線パターン）が第２コネクタ２６２の８ピンと繋がっていなかったりしても問題はない。しかし、この場合第１コネクタ２２６の４ピンや第２コネクタ２６２の８ピンは空き端子となってしまう。ところが、本実施形態の構成によれば、空き端子が発生することを防ぐことができる。また、同一の信号（電流）が、複数の配線Ｈ１５、Ｈ１６を通ることになるので、当該信号を１本の配線（例えば、配線Ｈ１５のみ）に通す場合に比べて、当該信号が通る経路の抵抗を減らすことができ、空中配線部分における電力損失や信号の劣化や過度の発熱を防ぐことができる。よって、互いに接続される２つの電子回路基板の双方において空き端子の発生を防ぐことができるとともに、これらの電子回路基板を繋ぐ配線部分における消費電力の低減や信号の高品質化や発熱の抑制ができる。したがって、空き端子を有効活用しつつ空き端子の発生を防止できる。
【００６８】
また、メイン表示右基板２２０の信号が通る第１〜第１１配線パターンＬ１〜Ｌ１１のうちの、所定期間内に流れる電流が多い配線パターンが、第１コネクタ２２６の複数の端子に接続されていることが好ましい。また、メイン表示右基板２２０の信号が通る第１〜第１１配線パターンＬ１〜Ｌ１１のうちの、所定期間内に流れる電流が最も多い配線パターンが、第１コネクタ２２６の複数の端子に接続されていることがさらに好ましい。また、下部基板２６０の第２コネクタ２６２に接続され、かつ信号が通る配線パターンのうちの、所定期間内に流れる電流が多い配線パターンが、第２コネクタ２６２の複数の端子に接続されていることが好ましい。また、下部基板２６０の第２コネクタ２６２に接続され、かつ信号が通る配線パターンのうちの、所定期間内に流れる電流が最も多い配線パターンが、第２コネクタ２６２の複数の端子に接続されていることがさらに好ましい。
【００６９】
ここで、流れる電流が多い配線パターンとは、例えば、コネクタに接続される配線パターンを、流れる電流が多い方から順に順位づけした場合に、真ん中の順位となる配線パターンよりも多くの電流が流れる配線パターンをいう。また、流れる電流が多い配線パターンとは、例えば、コネクタに接続される全配線パターン（信号が通る配線パターン）の平均電流よりも多くの電流が流れる配線パターンとしてもよい。また、所定期間内とは、例えば、１回の遊技が開始（スタートスイッチ１１８が操作）されてから、次の遊技が開始されるまでであってもよく、複数の遊技からなる所定の遊技区間の開始から終了まででもよく、ホールにおける１日の稼働時間等であってもよい。また、所定期間内に流れる電流が多いとは、所定期間内に流れる電流を平均した値が大きいことをいう。
【００７０】
なお、本実施形態の遊技機においては、第１コネクタ２２６の各ピンに流れる電流の最大値は以下のようになっている。すなわち、第１コネクタ２２６の１ピンには最大約１２０ｍＡの電流が流れ、第１コネクタ２２６の２ピンには最大約１２０ｍＡの電流が流れ、第１コネクタ２２６の３ピンには最大約２５ｍＡの電流が流れ、第１コネクタ２２６の４ピンには最大約２５ｍＡの電流が流れ、第１コネクタ２２６の５ピンには最大約３０ｍＡの電流が流れ、第１コネクタ２２６の６ピンには最大約３０ｍＡの電流が流れ、第１コネクタ２２６の７ピンには最大約３０ｍＡの電流が流れ、第１コネクタ２２６の８ピンには最大約４５ｍＡの電流が流れ、第１コネクタ２２６の９ピンには最大約４５ｍＡの電流が流れ、第１コネクタ２２６の１０ピンには最大約４５ｍＡの電流が流れ、第１コネクタ２２６の１１ピンには最大約３０ｍＡの電流が流れ、第１コネクタ２２６の１２ピンには最大約３０ｍＡの電流が流れるようになっている。また、各ピンに流れる電流の平均値も、上記の最大値に応じた大小関係となっている。
【００７１】
このような構成によれば、流れる電流が多い配線パターン（例えば、配線パターンＬ３，Ｍ５）の電流を、複数の配線に分岐させて流すことができる。よって、第１コネクタ２２６と第２コネクタ２６２とを繋ぐ配線のうちの一部の配線に、他の配線に比べて多くの電流が流れてしまうことを防ぐことができる。したがって、当該一部の配線において電力の損失が大きくなり過ぎてしまったり、過度に発熱してしまったり、配線を太くする必要が生じてしまうことを防ぐことができる。
【００７２】
また、本実施形態の遊技機においては、７セグメントＬＥＤ２２２ａまたは７セグメントＬＥＤ２２２ｂを制御するための信号を利用してＬＥＤ２２４ａ〜２２４ｃを光らせるようになっている。すなわち、例えば、ＬＥＤ２２４ａは、７セグメントＬＥＤ２２２ａまたは７セグメントＬＥＤ２２２ｂの備える８個のＬＥＤのうちの１個を制御するためのＬＥＤセグメントＤ１信号を利用して光らせるようになっている。また、例えば、ＬＥＤ２２４ｂは、７セグメントＬＥＤ２２２ａまたは７セグメントＬＥＤ２２２ｂの備える８個のＬＥＤのうちの１個を制御するためのＬＥＤセグメントＥ１信号を利用して光らせるようになっている。また、例えば、ＬＥＤ２２４ｃは、７セグメントＬＥＤ２２２ａまたは７セグメントＬＥＤ２２２ｂの備える８個のＬＥＤのうちの１個を制御するためのＬＥＤセグメントＦ１信号を利用して光らせるようになっている。したがって、メイン表示右ＬＥＤを光らせるために必要な信号の数や、当該信号を通すための配線数を削減することができる。
【００７３】
なお、メイン表示右基板２２０の第１コネクタ２２６に接続された配線パターンＬ１〜Ｌ１１と、下部基板２６０の第２コネクタ２６２に接続された配線パターンと、配線Ｈ１〜Ｈ２４とは、全て信号が通る信号ラインとなっているが、電源が通る電源ラインや、グラウンドライン等を含んでいてもよい。ただし、配線パターンＬ３や配線パターンＭ５のように、信号が通る配線パターンがコネクタの複数の端子に接続されていることが好ましい。このような構成によれば、低消費電力化を図ることができるだけでなく、信号の高品質化を図ることもできる。
【００７４】
以上、添付図面を参照しながら本発明の好適な実施形態について説明したが、本発明はかかる実施形態に限定されないことはいうまでもない。当業者であれば、特許請求の範囲に記載された範疇において、各種の変更例または修正例に想到し得ることは明らかであり、それらについても当然に本発明の技術的範囲に属するものと了解される。
【００７５】
なお、上述した実施形態においては、メイン表示右基板２２０の表面（他面）に、光源以外の他の電子部品である第１コネクタ２２６が配置されている場合について説明したが、他の電子部品は、抵抗、ダイオード、ＩＣ等の種々の電子部品のいずれであってもよい。
【００７６】
また、上述した実施形態においては、メイン表示右基板２２０について説明したが、メイン表示左基板２１０についても、メイン表示右基板２２０と同様に、他の電子部品としての第３コネクタ２１６が表面に配置され、光源としての７セグメントＬＥＤ２１２ａ、２１２ｂ、ＬＥＤ２１４ａ〜２１４ｃが裏面に配されていればよい。
【００７７】
また、上述した実施形態においては、遊技機としてスロットマシンについて説明した。しかしながら、遊技機は、遊技領域を流下する遊技球が始動口に入球したことに基づいて大当たりの抽選を行い、大当たりに当選すると大入賞口が開放される所謂パチンコ機であってもよい。そして、パチンコ機においては、メイン制御基板に接続され、メイン制御基板からの信号で動作する表示基板であって、表示基板の一面に光源である電子部品が配置され、他面に他の電子部品が配置されるようにすればよい。
【符号の説明】
【００７８】
１００  スロットマシン（遊技機）
２２０  メイン表示右基板
２２２ａ、２２２ｂ  ７セグメントＬＥＤ
２２４ａ、２２４ｂ、２２４ｃ  ＬＥＤ
【図１】
2020049148.tif 000003
【図２】
2020049148.tif 000004
【図３】
2020049148.tif 000005
【図４】
2020049148.tif 000006
【図５】
2020049148.tif 000007
【図６】
2020049148.tif 000008
【図７】
2020049148.tif 000009
【図８】
2020049148.tif 000010